(57)【要約】【課題】同一コミュニティに属するユーザの間で直接にコンテンツの再配布を可能とする。【解決手段】携帯電話機１０Ａがコミュニティに属する携帯電話機１０Ｂ、１０Ｃをコミュニティと関連付けた登録をコミュニティ管理サーバ６０Ａに要求し、コミュニティ管理サーバ６０Ａがコミュニティの登録を行う。携帯電話機１０Ａ，１０Ｂが、ＣＰサーバ４０Ａから配信されたコンテンツについて再配布の許可をコミュニティ管理サーバ６０Ａに対して要求し、コミュニティ管理サーバ６０Ａが、再配布の許可の要求が登録された同一のコミュニティに属する携帯電話機１０Ａ〜１０Ｃについてのものであるときに、当該再配布に対して許可を与える。これにより、ＣＰサーバ４０Ａを介さなくとも、同一コミュニティに属するユーザの間で直接にコンテンツの再配布を行うことができる。【選択図】図１
2008123290.tif 000002
【特許請求の範囲】
【請求項１】
複数の通信端末の中で同一のコミュニティに属する複数の通信端末と前記コミュニティとを関連付けて登録する登録手段と、
伝達サーバよりコンテンツを配信された一の通信端末から他の通信端末への前記コンテンツの再配布の要求を、前記通信端末のいずれかから受信する受信手段と、
前記受信手段が受信した前記再配布の要求が、前記登録手段に登録された同一のコミュニティに属する通信端末間の再配布に係るものであるか否かを確認する確認手段と、
前記確認手段が前記再配布の要求は同一のコミュニティに属する通信端末間の再配布に係るものであることを確認したときに、前記一の通信端末に、前記一の通信端末から他の通信端末へ前記コンテンツの再配布を行なうことを通知する通知手段と、
を備えたコミュニティ管理サーバ。
【請求項２】
前記受信手段は、前記通信端末のいずれかから、同一のコミュニティに属する複数の前記通信端末と前記コミュニティとを関連付けた登録の要求を受信し、
前記登録手段は、前記受信手段が受信した前記登録の要求に応じて、同一のコミュニティに属する複数の前記通信端末と前記コミュニティとを関連付けて登録する、
請求項１に記載のコミュニティ管理サーバ。
【請求項３】
請求項１または２に記載のコミュニティ管理サーバに対し、前記伝達サーバよりコンテンツの配信を受けた一の通信端末から他の通信端末への前記コンテンツの再配布の要求を送信する再配布要求手段を備えた通信端末。
【請求項４】
前記伝達サーバよりコンテンツの配信を受けた一の通信端末であって、
請求項１または２に記載のコミュニティ管理サーバより、前記一の通信端末から他の通信端末へ前記コンテンツの再配布を行なうことの通知を受信する再配布通知受信手段と、
前記再配布通知受信手段が前記コンテンツの再配布を行うことの通知を受信したときに、前記他の通信端末へ前記コンテンツを送信する再配布コンテンツ送信手段と、
を備えた通信端末。
【請求項５】
伝達サーバと、請求項１または２に記載のコミュニティ管理サーバと、請求項３または４に記載の通信端末を含む複数の通信端末とが互いに通信網に接続され、前記通信網を介して前記伝達サーバから前記通信端末へコンテンツが配信されるコンテンツ伝達システム。
【請求項６】
伝達サーバと、複数の通信端末と、コミュニティ管理サーバとが互いに通信網に接続され、前記通信網を介して前記伝達サーバから前記通信端末へコンテンツが配信されるシステムにおけるコンテンツ伝達方法において、
前記コミュニティ管理サーバが、同一のコミュニティに属する複数の前記通信端末と前記コミュニティとを関連付けて登録する登録ステップと、
前記通信端末のいずれかが、コミュニティ管理サーバに対し、前記伝達サーバよりコンテンツの配信を受けた一の通信端末から他の通信端末への前記コンテンツの再配布の要求を送信する再配布要求ステップと、
前記コミュニティ管理サーバが、前記再配布要求ステップで送信された前記再配布の要求が、前記登録ステップで登録された同一のコミュニティに属する通信端末間の再配布に係るものであるか否かを確認する確認ステップと、
前記コミュニティ管理サーバが、前記確認ステップで前記再配布の要求は同一のコミュニティに属する通信端末間の再配布に係るものであることを確認したときに、前記一の通信端末に、前記一の通信端末から他の通信端末へ前記コンテンツの再配布を行なうことを通知する通知ステップと、
を含むコンテンツ伝達方法。
【発明の詳細な説明】
【技術分野】
【０００１】
本発明は、同一コミュニティに属する通信端末間で直接にコンテンツの再配布を可能とするコミュニティ管理サーバ、通信端末、コンテンツ伝達システム及びコンテンツ伝達方法に関する。
【背景技術】
【０００２】
近年は、携帯電話機などを利用して有料の着信音などのデジタルコンテンツの購入などが行われている。例えば、ネットワークに接続可能な携帯電話機等の通信端末によって、画像、音楽及び動画等のデジタルコンテンツを、コンテンツを提供するサーバからダウンロードすることが行われている。その一方で、近年では、趣味を共通とするユーザ同士でコミュニティ（グループ）を形成し、同一のコミュニティに属するユーザ同士で共通のコンテンツを共有することも行われている。
【０００３】
例えば、特許文献１には、ある利用者Ａが特定のコンテンツをコンテンツ配信サービスサーバからダウンロードした際に、同じコミュニティに属する利用者Ｂに当該コンテンツを贈答したい場合において、利用者Ａがコミュニティサイトサーバに当該コミュニティに登録されている利用者Ｂの登録ＩＤを送信することにより、コミュニティサイトサーバはコンテンツ配信サービスサーバに働きかけて、コンテンツ配信サービスサーバから利用者Ｂも当該コンテンツをダウンロード可能な状態にし、これによって同じコミュニティに属する利用者Ｂにコンテンツを再配布することができるコンテンツ配信システムが記載されている。
【特許文献１】特開２００１−２８３０７１
【発明の開示】
【発明が解決しようとする課題】
【０００４】
しかしながら、上記のようなコンテンツ配信システムでは、同じコミュニティに属するユーザがコンテンツの配給元であるコンテンツ配信サービスサーバからコンテンツの再配布を受けることはできるものの、購入者である同じコミュニティに属するユーザ同士の間で直接にコンテンツの再配布を行うことはできない。特に、著作権が設定されているコンテンツについては、ユーザ間の不正コピーを防止する観点から、ユーザ同士の間でのコンテンツの再配布が制限されている。そのため、コミュニティ内におけるユーザ間のコミュニケーションが制限されたものになっている。また、上記のようなコンテンツ配信システムでは、コンテンツの再配布の度にコンテンツ配信サービスサーバからコンテンツをダウンロードする必要があることから、コンテンツ配信サービスサーバにかかる負荷が大きい。そのため、コンテンツの再配布を希望するユーザが増大した場合には問題がある。
【０００５】
本発明は上記に鑑みなされたもので、本発明の目的は、同一コミュニティに属するユーザの間で直接にコンテンツの再配布を可能とするコミュニティ管理サーバ、通信端末、コンテンツ伝達システム及びコンテンツ伝達方法を提供することにある。
【課題を解決するための手段】
【０００６】
上記課題を解決するための本発明は、複数の通信端末の中で同一のコミュニティに属する複数の通信端末とコミュニティとを関連付けて登録する登録手段と、伝達サーバよりコンテンツを配信された一の通信端末から他の通信端末へのコンテンツの再配布の要求を、通信端末のいずれかから受信する受信手段と、受信手段が受信した再配布の要求が、登録手段に登録された同一のコミュニティに属する通信端末間の再配布に係るものであるか否かを確認する確認手段と、確認手段が再配布の要求は同一のコミュニティに属する通信端末間の再配布に係るものであることを確認したときに、一の通信端末に、一の通信端末から他の通信端末へコンテンツの再配布を行なうことを通知する通知手段と、を備えたことを特徴とする。
【０００７】
上記構成によれば、登録手段が、同一のコミュニティに属する複数の通信端末とコミュニティとを関連付けて登録し、受信手段が、伝達サーバよりコンテンツを配信された一の通信端末から他の通信端末へのコンテンツの再配布の要求を通信端末のいずれかから受信し、確認手段が、当該再配布の要求が登録手段に登録された同一のコミュニティに属する通信端末間の再配布に係るものであるか否かを確認し、通知手段が、当該再配布の要求が同一のコミュニティに属する通信端末間の再配布に係るものであることを確認したときに、一の通信端末に、一の通信端末から他の通信端末へコンテンツの再配布を行なうことを通知するため、通信端末とコミュニティ管理サーバとの間だけで、当該コンテンツの再配布が同一コミュニティ内でのものであるかを確認し、伝達サーバを介さなくとも、同一コミュニティに属する通信端末間で直接にコンテンツの再配布を行うことができる。
【０００８】
この場合、受信手段は、通信端末のいずれかから、同一のコミュニティに属する複数の通信端末とコミュニティとを関連付けた登録の要求を受信し、登録手段は、受信手段が受信した登録の要求に応じて、同一のコミュニティに属する複数の通信端末とコミュニティとを関連付けて登録することが好適である。
【０００９】
上記構成によれば、受信手段は、通信端末のいずれかから、同一のコミュニティに属する複数の通信端末とコミュニティとを関連付けた登録の要求を受信し、登録手段は、受信手段が受信した登録の要求に応じて、同一のコミュニティに属する複数の通信端末とコミュニティとを関連付けて登録するため、通信端末とコミュニティ管理サーバとの間で、コミュニティの登録を行うことができる。
【００１０】
一方、本発明は、上記本発明のコミュニティ管理サーバに対し、伝達サーバよりコンテンツの配信を受けた一の通信端末から他の通信端末へのコンテンツの再配布の要求を送信する再配布要求手段を備えた通信端末である。
【００１１】
この構成によれば、再配布要求手段が上記本発明のコミュニティ管理サーバに対し、伝達サーバよりコンテンツの配信を受けた一の通信端末から他の通信端末へのコンテンツの再配布の要求を送信するため、伝達サーバを介さなくとも、コミュニティ管理サーバにコンテンツの再配布を要求することができる。
【００１２】
また、本発明は、伝達サーバよりコンテンツの配信を受けた一の通信端末であって、上記本発明のコミュニティ管理サーバより、一の通信端末から他の通信端末へコンテンツの再配布を行なうことの通知を受信する再配布通知受信手段と、再配布通知受信手段がコンテンツの再配布を行うことの通知を受信したときに、他の通信端末へコンテンツを送信する再配布コンテンツ送信手段とを備えた通信端末である。
【００１３】
この構成によれば、再配布通知受信手段が、コミュニティ管理サーバより一の通信端末から他の通信端末へコンテンツの再配布を行なうことの通知を受信し、再配布コンテンツ送信手段が再配布通知受信手段がコンテンツの再配布を行うことの通知を受信したときに、他の通信端末へコンテンツを送信するため、伝達サーバを介さずともコミュニティ管理サーバからの通知に従って、他の通信端末へコンテンツを再配布することができる。
【００１４】
一方、本発明は、伝達サーバと、上記本発明のコミュニティ管理サーバと、上記本発明の通信端末を含む複数の通信端末とが互いに通信網に接続され、通信網を介して伝達サーバから通信端末へコンテンツが配信されるコンテンツ伝達システムである。
【００１５】
さらに本発明は、伝達サーバと、複数の通信端末と、コミュニティ管理サーバとが互いに通信網に接続され、通信網を介して伝達サーバから通信端末へコンテンツが配信されるシステムにおけるコンテンツ伝達方法において、コミュニティ管理サーバが、同一のコミュニティに属する複数の通信端末とコミュニティとを関連付けて登録する登録ステップと、通信端末のいずれかが、コミュニティ管理サーバに対し、伝達サーバよりコンテンツの配信を受けた一の通信端末から他の通信端末へのコンテンツの再配布の要求を送信する再配布要求ステップと、コミュニティ管理サーバが、再配布要求ステップで送信された再配布の要求が、登録ステップで登録された同一のコミュニティに属する通信端末間の再配布に係るものであるか否かを確認する確認ステップと、コミュニティ管理サーバが、確認ステップで再配布の要求は同一のコミュニティに属する通信端末間の再配布に係るものであることを確認したときに、一の通信端末に、一の通信端末から他の通信端末へコンテンツの再配布を行なうことを通知する通知ステップとを含むことを特徴とする。
【発明の効果】
【００１６】
本発明のコミュニティ管理サーバ、通信端末、コンテンツ伝達システム及びコンテンツ伝達方法によれば、同一コミュニティに属するユーザの間で直接にコンテンツの再配布が可能となる。
【発明を実施するための最良の形態】
【００１７】
次に、本発明の実施形態について、図面を参照して説明する。本実施形態は本発明の一形態を示すものであり、この発明を限定するものではない。また、本発明は、その技術的思想の範囲で任意に変更が可能である。
【００１８】
図１は、本実施形態にかかるコンテンツ伝達システムの概要構成図である。本実施形態に係るコンテンツ伝達システム１は、複数の携帯電話機（通信端末）１０Ａ，１０Ｂ，１０Ｃと、携帯電話機１０Ａ〜１０Ｃが属する移動体通信網２０Ａと、インターネット３０Ａと、インターネット３０Ａに接続した複数のＣＰ(Contents Provider)サーバ（伝達サーバ）４０Ａ，４０Ｂ，４０Ｃ，４０Ｄと、移動体通信網２０Ａとインターネット３０Ａとを接続するＧＷ（Gateway）５０Ａと、ＧＷ５０Ａに接続されたコミュニティ管理サーバ６０Ａとを備える。コンテンツ伝達システム１は、コンテンツを提供するＣＰサーバ４０Ａ〜４０Ｄから携帯電話機１０Ａ〜１０Ｃへコンテンツを配信し、一度配信されたコンテンツを、コミュニティ管理サーバ６０Ａの管理下において、同一のコミュニティを形成する携帯電話機１０Ａ〜１０Ｃ間で直接に再配布するシステムである。コンテンツ伝達システム１は、著作権が設定された著作権コンテンツを取り扱う。著作権コンテンツの著作権を保護するために、著作権コンテンツには、許可の与えられていない携帯電話機間での再配布、コンテンツの複製、メールへの添付等を禁止する設定がされている。
【００１９】
ＣＰサーバ４０Ａ〜４０Ｄは、インターネットを利用する一般利用者の所有する携帯電話機１０Ａ〜１０Ｃに画像、音楽、動画等のデジタルコンテンツを配信するサーバである。例えば、ＣＰサーバ４０Ａ〜４０Ｄは、ＨＴＭＬ（Hypertext markup language）形式のファイルでコンテンツを格納して、利用者にコンテンツを提供している。また、ＣＰサーバ４０Ａ〜４０Ｄは、格納しているコンテンツの中で、著作権が発生する画像情報、音楽情報、動画情報等の著作権コンテンツについては、個人認証を行ってから提供することにより、著作権を保護してコンテンツを提供している。
【００２０】
携帯電話機１０Ａ〜１０ＣとＣＰサーバ４０Ａ〜４０Ｄとは、移動体通信網２０Ａ、ＧＷ５０Ａ及びインターネット３０Ａを介して接続可能に構成されている。移動体通信網２０Ａは、複数の無線基地局、複数のパケット加入者処理装置及びこれらの装置を接続する通信回線によって構成されている。携帯電話機１０Ａ〜１０Ｃは、移動体通信網２０Ａを利用して、パケット通信サービスを受ける携帯電話機でありブラウザＷＷＷ（world wide web）と電子メール機能を搭載している。
【００２１】
引き続いて、図２，３を参照して、携帯電話機１０Ａ〜１０Ｃについて詳細に説明する。図２は、本実施形態に係る携帯電話機の概略構成図である。図３は、本実施形態に係る携帯電話機の機能的な構成図である。携帯電話機１０Ａ〜１０Ｃは、互いに同じ物理的及び機能的な構成を有するので、携帯電話機１０Ａについて説明し、携帯電話機１０Ｂ，１０Ｃについての構成に関する説明は省略する。
【００２２】
図２に示すように、携帯電話機１０Ａは、構成要素として、通信部１０１、ＣＰＵ１０４、操作部１０５、表示部１０６、記憶部１０７およびデバイス１０９を有する。これらの構成要素は、バス１０８により互いに接続されている。
【００２３】
通信部１０１は、移動体通信網２０Ａに含まれる基地局と無線データ通信を行う。通信部１０１は、ＣＰＵ１０４による制御を介して、例えば、WWWブラウザの送信データ、電子メールソフトの送信データを基地局に送信する。ＣＰＵ１０４は、記憶部１０７に格納されている各種プログラムを実行することにより、バス１０８を介して接続されている各構成要素を制御する。
【００２４】
記憶部１０７は、ＲＯＭ(Read Only Memory)１０２と、ＲＡＭ(Random Access Memory)１０３を備えている。ＲＯＭ１０２には、ＣＰＵ１０４によって実行される各種プログラムおよび制御データなどが格納されている。各種プログラムとしては、例えば、携帯電話機１０Ａ用のオペレーティングシステムおよび上述したWWWブラウザ、電子メールソフトがある。ＲＡＭ１０３は、ＣＰＵ１０４のワークエリアとして用いられる。例えば、携帯電話機１０Ａ用のＲＡＭ１０３には、電子メールソフトにより受信された電子メールデータ及びWWWブラウザを使ってダウンロードされた画像データ、著作権付き画像データなどのコンテンツに関するデータが格納される。
【００２５】
操作部１０５は、文字、数字、および操作指示などを入力するためのキーを複数備えている。操作部１０５は、キー操作に応じた操作信号をＣＰＵ１０４に出力する。表示部１０６は、表示画面である液晶パネルと、この液晶パネルの駆動を行う駆動回路とを備えている。デバイス１０９は、具体的にはスピーカ、バイブレータ、カメラ等の機器とその駆動回路からなり、バス１０８を介してＣＰＵ１０４より指令信号を受けて動作する。
【００２６】
図３に示すように、携帯電話機１０Ａは、機能的な構成要素として、登録要求部１２１、配信要求部１２２、再配布許可要求部（再配布要求手段）１２３、再配布通知受信部（再配布通知受信手段）１２４、再配布コンテンツ送信部（再配布コンテンツ送信手段）１２５、再配布コンテンツ受信部１２６、格納部１２７を備えて構成される。
【００２７】
登録要求部１２１は、コミュニティ管理サーバ６０Ａに対して、同一のコミュニティに属する携帯電話機１０Ａ〜１０Ｃを当該コミュニティと関連付けて登録することを要求する。すなわち、登録要求部１２１は、移動体通信網２０ＡからＧＷ５０Ａを介してコミュニティ管理サーバ６０Ａにコミュニティ登録依頼を送信する。コミュニティ登録依頼には、携帯電話機１０Ａのユーザの個人認証を行うための携帯電話機１０Ａ〜１０ＣのＩＤが含まれる。また、登録要求部１２１は、コミュニティ登録依頼を送信し、コミュニティ管理サーバ６０Ａから認証を受けた後に、コミュニティ管理サーバ６０Ａに、コミュニティの登録に要求される要求情報を送信する。要求情報には、当該コミュニティの名称、コミュニティの初期参加メンバのＩＤが含まれる。上記ＩＤは、携帯電話機１０Ａ〜１０Ｃ又は携帯電話機１０Ａ〜１０Ｃの利用者を特定する情報であり、電話番号等が用いられる。コミュニティの登録の際には、要求登録部１２１は、適宜、格納部１２７に格納されているコンテンツを参照する。
【００２８】
配信要求部１２２は、ＣＰサーバ４０Ａ〜４０Ｄに対してコンテンツの配信を要求する。配信要求部１２２は、ＣＰサーバ４０Ａ〜４０Ｄが提供するＨＰ等を利用してダウンロードするコンテンツを検索するための情報を要求する。また、配信要求部１２２は、ＣＰサーバ４０Ａ〜４０Ｄにダウンロード方法を指定する情報を送信する。さらに、配信要求部１２２は、ＣＰサーバ４０Ａ〜４０Ｄに、コンテンツの配信を要求する旨のコンテンツダウンロード要求を送信し、当該コンテンツをＣＰサーバ４０Ａ〜４０Ｄから受信する。受信したコンテンツは格納部１２７に格納される。コンテンツダウンロード要求には、配信を要求するコンテンツを特定するための情報や、認証を行うためのＩＤや、ダウンロードを行う範囲を指定する情報が含まれている。コンテンツの配信を要求する際には、配信要求部１２２は、重複してコンテンツをダウンロードしないように、適宜、格納部１２７に格納されているコンテンツを参照する。
【００２９】
再配布許可要求部１２３は、コミュニティ管理サーバ６０Ａに対し、ＣＰサーバ４０Ａ〜４０Ｄから配信されたコンテンツについて、同一のコミュニティに属する携帯電話機１０Ａ〜１０Ｃ間における再配布の許可を要求する。再配布許可要求部１２３は、移動体通信網２０ＡからＧＷ５０Ａを介して、コミュニティ管理サーバ６０Ａに、当該コミュニティを特定するための情報、当該コミュニティにおいて再配布可能なコンテンツの一覧を取得したい旨の要求、再配布の許可を求めるコンテンツを特定するための情報を送信する。再配布許可要求部１２３は、再配布可能か否かを確認するためと、重複してコンテンツを再配布しないようにするため、適宜、格納部１２７に格納されているコンテンツを参照する。
【００３０】
再配布通知受信部１２４は、ＣＰサーバ４０Ａ〜４０Ｄから携帯電話機１０Ａへ配信されたコンテンツを、他の携帯電話機１０Ｂ，１０Ｃに再配布することの通知をコミュニティ管理サーバ６０Ａより受信する。再配布通知受信部１２４は、当該再配布の通知を再配布コンテンツ送信部１２５に送信する。
【００３１】
再配布コンテンツ送信部１２５は、格納部１２７に格納されたコンテンツであって、コミュニティ管理サーバ６０Ａにより、当該再配布の通知を受けて再配布を許可されたコンテンツを、同一のコミュニティに属する他の携帯電話機１０Ｂ，１０Ｃに送信する。なお、この送信は、携帯電話機１０Ａのユーザの操作を特に要せず、自動的に行われる。
【００３２】
再配布コンテンツ受信部１２６は、同一のコミュニティに属する他の携帯電話機１０Ｂ，１０Ｃの格納部１２７に格納されたコンテンツであって、コミュニティ管理サーバ６０Ａにより再配布を許可されたコンテンツを、当該他の携帯電話機１０Ｂ，１０Ｃから受信する。他の携帯電話機１０Ｂ，１０Ｃから受信したコンテンツは、格納部１２７に格納される。
【００３３】
引き続いて、図４、５を参照して、ＣＰサーバ４０Ａ〜４０Ｄについて説明する。図４は、本実施形態に係るＣＰサーバの概略構成図である。図５は、本実施形態に係るＣＰサーバの機能的な構成図である。ＣＰサーバ４０Ａ〜４０Ｄは、互いに同じ物理的及び機能的な構成を有するので、ＣＰサーバ４０Ａについて説明し、ＣＰサーバ４０Ｂ〜４０Ｄについての説明は省略する。
【００３４】
図４に示すように、ＣＰサーバ４０Ａは、構成要素として、ＣＰＵ４０１、メモリ４０２、記憶ディスク４０３、ＬＡＮインターフェース４０４、コンソール４０５、ディスプレイ４０６、制御部４０７、記憶管理部４０８、ネットワーク制御部４０９、インターネット制御部４１０を有する。ＣＰサーバ４０Ａは、ＣＰＵ４０１上で動作する制御部４０７、ネットワーク制御部４０９、インターネット制御部４１０によって動作する。
【００３５】
携帯電話機１０Ａ〜１０Ｃから送信されるコンテンツダウンロード要求は、ＬＡＮインターフェース４０４を経由してＣＰサーバ４０Ａに送られてくる。送られてきたコンテンツダウンロード要求は、インターネット制御部４１０にて処理された後に、制御部４０７においてコンテンツの配信要求と判断される。制御部４０７は、記憶管理部４０８を経由して、コンテンツダウンロード要求によって要求されているコンテンツを記憶ディスク４０３から抽出してくる。抽出したコンテンツは、制御部４０７によってネットワーク制御部４０９に引き渡される。ネットワーク制御部４０９は、ＬＡＮインターフェース４０４を経由して、引き渡されたコンテンツをコンテンツの配信要求を行った携帯電話機１０Ａに送信する。コンテンツの登録、変更、削除及び管理データの編集はコンソール４０５とディスプレイ４０６とを使用して行う。
【００３６】
引き続いて、図５を参照してＣＰサーバ４０Ａの機能的な構成要素について詳細に説明する。ＣＰサーバ４０Ａは、機能的な構成要素として、受信部４２１、認証部４２２、設定部４２３、記憶部４２４、及び送信部（コンテンツ送信手段）４２５を備える。
【００３７】
受信部４２１は、携帯電話機１０Ａ〜１０Ｃからコンテンツの配信要求を受信する。すなわち、受信部４２１は、コンテンツを特定する情報を含みコンテンツの配信を要求する旨のコンテンツダウンロード要求を受信する。受信部４２１は、受信したコンテンツダウンロード要求を認証部４２２へ出力する。
【００３８】
認証部４２２は、受信部４２１から出力されたコンテンツダウンロード要求に含まれるＩＤを用いて、記憶部４２４に記憶されたＩＤごとのコンテンツの購買に関する情報を参照しつつ、利用者の認証を行う。認証を行った後、認証部４２２は、コンテンツダウンロード要求を設定部４２３へ出力する。
【００３９】
設定部４２３は、出力されたコンテンツダウンロード要求が示すコンテンツ及びＩＤに応じて記憶部４２４に記憶されたＩＤごとのコンテンツの購買に関する情報を設定し直す。
【００４０】
記憶部４２４には、携帯電話機１０Ａ〜１０Ｃに配信すべき複数種類のコンテンツが記憶されるとともに、ＩＤごとにコンテンツの購買履歴が記憶され、設定部４２３により適宜更新される。
【００４１】
送信部４２５は、コンテンツダウンロード要求に対応したコンテンツを記憶部４２４から抽出し、インターネット３０Ａ、ＧＷ５０Ａおよび移動体通信網２０Ａを介して、コンテンツダウンロード要求を送信した携帯電話機１０Ａ〜１０Ｃに配信する。
【００４２】
引き続いて、図６、７を参照して、コミュニティ管理サーバ６０Ａについて説明する。図６は、本実施形態に係るコミュニティ管理サーバの概略構成図である。図７は、本実施形態に係るコミュニティ管理サーバの機能的な構成図である。図６に示すように、コミュニティ管理サーバ６０Ａは、構成要素として、ＣＰＵ６０１、メモリ６０２、記憶ディスク６０３、ＬＡＮインターフェース６０４、コンソール６０５、ディスプレイ６０６、制御部６０７、記憶管理部６０８、ネットワーク制御部６０９、ゲートウェイ制御部６１０を有する。コミュニティ管理サーバ６０Ａは、ＣＰＵ６０１上で動作する制御部６０７、ネットワーク制御部６０９、ゲートウェイ制御部６１０によって動作する。
【００４３】
携帯電話機１０Ａ〜１０Ｃから送信されるコミュニティ登録依頼及びコンテンツダウンロード要求等は、ＬＡＮインターフェース６０４を経由して送られてくる。送られてきたコミュニティ登録依頼及びコンテンツダウンロード要求は、ゲートウェイ制御部６１０にて処理された後に、制御部６０７において、それぞれコミュニティ登録依頼等であると判断される。
【００４４】
制御部６０７は、コミュニティ登録依頼及び要求情報に含まれている情報を、記憶管理部６０８を経由して、記憶ディスク６０３に書き込む。また、制御部６０７は、記憶管理部６０８を経由して、コンテンツダウンロード要求によって要求されているコンテンツに対応するコミュニティ情報を記憶ディスク６０３から抽出し、当該コンテンツダウンロード要求に対して許可を与えるか否かを判断する。コミュニティ登録の完了通知に関する情報またはコンテンツダウンロードに対する許可についての情報は、制御部６０７によってゲートウェイ制御部６０９に引き渡される。ゲートウェイ制御部６０９は、ＬＡＮインターフェース６０４を経由して、引き渡されたコミュニティ登録の完了通知に関する情報またはコンテンツダウンロードに対する許可についての情報を、コミュニティ登録依頼またはコンテンツダウンロード要求を行った携帯電話機１０Ａに送信する。コミュニティの登録、変更、削除及び管理データの編集はコンソール６０５とディスプレイ６０６とを使用して行う。
【００４５】
引き続いて、図７を参照してコミュニティ管理サーバ６０Ａの機能的な構成要素について詳細に説明する。コミュニティ管理サーバ６０Ａは、機能的な構成要素として、受信部（受信手段）６２１、認証部６２２、設定部６２３、記憶部６２４、送信部６２６、コミュニティ登録確認部（確認手段）６２７、要求コンテンツチェック部６２８、通知部（通知手段）６２９を備える。記憶部６２４にはコミュニティ情報ＤＢ（登録手段）６２５が含まれる。
【００４６】
受信部６２１は、コミュニティ登録依頼の際は、当該携帯電話機１０ＡのユーザＩＤを含むコミュニティ登録依頼を受信する。この場合、受信部６２１は、受信した情報を認証部６２２へ出力する。また、受信部６２１は、コミュニティ登録依頼を受信した後に、コミュニテイの名称、コミュニティメンバのＩＤ等のコミュニティ登録に必要な情報を含む要求情報を受信する。
【００４７】
さらに、受信部６２１は、コンテンツダウンロード要求の際は、認証を行うためのＩＤや、配信を要求するコンテンツを特定するための情報や、ダウンロードを行う範囲を指定する情報を受信する。この場合、受信部６２１は、認証を行うためのＩＤを認証部６２２へ出力する。さらに受信部６２１は、コンテンツダウンロード要求の際は、コンテンツを特定するための情報及びダウンロードを行う範囲を指定する情報をコミュニティ登録確認部６２７に出力する。
【００４８】
認証部６２２は、受信部６２１から出力されたコミュニティ登録依頼またはコンテンツダウンロード要求に含まれるＩＤを用いて、記憶部６２４のコミュニティ情報ＤＢ６２５に記憶されたＩＤおよびコンテンツ毎のコミュニティに関する情報を検索して参照しつつ、コミュニティ登録依頼等を送信した携帯電話機あるいはユーザが正当であるか否かの認証を行う。認証部６２２は、当該認証結果を、送信部６２６に出力する。また、認証を行った後、認証部６２２は、コミュニティ登録依頼またはコンテンツダウンロード要求を設定部６２３へ出力する。
【００４９】
設定部６２３は、出力されたコミュニティ登録依頼またはコンテンツダウンロード要求に応じて、記憶部６２４のコミュニティ情報ＤＢ６２５に記憶された情報を更新する。
【００５０】
記憶部６２４のコミュニティ情報ＤＢ６２５には、同一のコミュニティに属する携帯電話機１０Ａ〜１０Ｃが、当該コミュニティとコンテンツとに関連付けて登録されている。図８は、本実施形態に係るコミュニティ管理サーバに含まれるコミュニティ情報データベースの構成を示す図である。図８に示すように、コミュニティ情報ＤＢ６２５には、携帯電話機ごとに、帰属するコミュニティがどのコミュニティであるかに関する情報が登録されている。なお、本実施形態においては、一の携帯電話機は、それぞれメンバが異なる複数のコミュニティに同時に属することが可能である。コミュニティ情報ＤＢ６２５には、携帯電話機ごとに、当該携帯電話機がコミュニティを統括するオーナであるかそれともコミュニティに加入しているメンバであるかに関する情報、当該携帯電話機がコンテンツを直接ＣＰサーバ４０Ａ〜４０Ｄから配信されたオーナであるかそれとも他の携帯電話機から再配布を受けたメンバであるかに関する情報が登録されている。さらに、コミュニティ情報ＤＢ６２５には、携帯電話機ごとに、コンテンツの種類、そのコンテンツの配布状況に関する情報が登録されている。これらの記憶内容は、設定部６２３により適宜更新される。
【００５１】
図７に戻り、コミュニティ登録確認部６２７は、コンテンツダウンロード要求に含まれるコンテンツを特定するための情報及びダウンロードを行う範囲を指定する情報を受信部６２１から受信し、記憶部６２４のコミュニティ情報ＤＢ６２５を参照しつつ、当該コンテンツダウンロード要求が同一のコミュニティに属する通信端末間の再配布に係るものであるか否かを確認する。コミュニティ登録確認部６２７は、当該確認結果を要求コンテンツチェック部６２８を介して通知部６２９に出力する。
【００５２】
要求コンテンツチェック部６２８は、コンテンツダウンロード要求に含まれるコンテンツを特定するための情報及びダウンロードを行う範囲を指定する情報をコミュニティ登録確認部６２７から受信し、当該コンテンツを指定されたコミュニティに再配布して良いか否かをチェックする。要求コンテンツチェック部６２８は、当該チェック結果を通知部６２９に出力する。
【００５３】
通知部６２９は、当該コンテンツダウンロード要求が同一のコミュニティに属する通信端末間の再配布に係るものである旨の確認結果をコミュニティ登録確認部６２７から受信し、かつ当該コンテンツを指定されたコミュニティに再配布して良い旨のチェック結果を要求コンテンツチェック部６２８から受信したときは、例えば携帯電話機１０Ａに対して、ＣＰサーバ４０Ａ〜４０Ｄから携帯電話機１０Ａへ配信されたコンテンツを、他の携帯電話機１０Ｂ，１０Ｃに再配布することの通知を生成する。通知部６２９は生成した通知を送信部６２６に出力する。
【００５４】
送信部６２６は、認証部６２２からの認証結果及び通知部６２９からの通知をＧＷ５０Ａおよび移動体通信網２０Ａを介して、コミュニティ登録依頼またはコンテンツダウンロード要求を送信した携帯電話機１０Ａ〜１０Ｃに返信する。
【００５５】
引き続いて、コンテンツ伝達システム１の動作について説明すると共に、コンテンツ伝達方法について説明する。以下の例では、図９に概略を示すように、ＣＰサーバ４０Ａは、携帯電話機１０Ａ〜１０Ｃがコミュニティ１に属していれば、携帯電話機１０Ａ〜１０Ｃ間で直接コンテンツの再配布を認めるものとして、ＣＰサーバ４０Ａから携帯電話機１０Ａにコンテンツを一旦ダウンロードさせる。ＣＰサーバ４０Ａから携帯電話機１０Ａにダウンロードさせた音声コンテンツＡ１、画像コンテンツＰ１，Ｐ２、文書コンテンツＤ１等のコンテンツは、ＧＷ５０側でコミュニティ１の配下で管理される。ＧＷ５０側では、コミュニティ１に属する携帯電話機１０Ｂ，１０Ｃに対しての再配布であることを確認した場合には、ＣＰサーバ４０Ａに対するアクセスは行わずに当該再配布を許可し、携帯電話機１０Ａ〜１０Ｃの間で直接にコンテンツの再配布が行われる。
【００５６】
（コミュニティ情報登録）
図１０は、携帯電話機がゲートウェイ側にコミュニティ登録を行う際の動作を示すシーケンス図である。図１０に示すように、携帯電話機１０Ａの登録要求部１２１は、ＧＷ５０Ａ側のコミュニティ管理サーバ６０Ａに、自己のＩＤを含むコミュニティ登録依頼を送信する（Ｓ１０１）。コミュニティ管理サーバ６０Ａは、受信部６２１でコミュニティ登録依頼を受信すると、認証部６２２にて記憶部６２４のコミュニティ情報ＤＢ６２５を参照しつつ、携帯電話機１０Ａが登録されたユーザであるか否かの認証を行う（Ｓ１０２）。認証を受けた携帯電話機１０Ａの登録要求部１２１は、コミュニティ管理サーバ６０Ａに対して、当該コミュニティの名称、初期参加メンバを含む要求情報を送信する（Ｓ１０３）。コミュニティ管理サーバ６０Ａは、受信部６２１で当該要求情報を受信すると、設定部６２３によって、記憶部６２４のコミュニティ情報ＤＢ６２５の記憶内容を要求情報に応じて更新する。コミュニティ管理サーバ６０Ａは、送信部６２６により、処理結果を携帯電話機１０Ａに返信する。
【００５７】
（コンテンツ配信）
図１１は、携帯電話機がＣＰサーバから最初にコンテンツをダウンロードする際の動作を示すシーケンス図である。図１１に示すように、携帯電話機１０Ａの配信要求部１２２は、ＣＰサーバ４０Ａに対してダウンロード可能なコンテンツの検索を行うための情報を送信する（Ｓ２０１）。次に携帯電話機１０Ａの配信要求部１２２は、ＣＰサーバ４０Ａに対して当該コンテンツのダウンロード方法の指定を行う（Ｓ２０２）。その後、携帯電話機１０Ａの配信要求部１２２は、ＧＷ５０Ａ側のコミュニティ管理サーバ６０Ａを介してＣＰサーバ４０Ａに、当該コンテンツの再配布範囲が当該コミュニティ１内である旨の情報を含むコンテンツダウンロード要求を送信する（Ｓ２０３）。コンテンツダウンロード要求を受信したコミュニティ管理サーバ６０Ａは、ＣＰサーバ４０Ａに対して当該コンテンツダウンロード要求が真正であることの認証を受け（Ｓ２０４）、ＣＰサーバ４０Ａに対してコンテンツダウンロード要求の申請を行い（Ｓ２０５）、ＣＰサーバ４０Ａからコンテンツダウンロードの許可を得た後（Ｓ２０６）、ＣＰサーバ４０Ａからコンテンツのダウンロードを受ける（Ｓ２０７）。当該コンテンツを受信したコミュニティ管理サーバ６０Ａは、設定部６２３により記憶部６２４のコミュニティ情報ＤＢの記憶内容を更新した後、当該コンテンツを携帯電話機１０Ａにダウンロードする。携帯電話機１０Ａはコンテンツ受信部１２４によって当該コンテンツを受信した後、格納部１２７にコンテンツを格納する（Ｓ２０８）。
【００５８】
（コンテンツメンバからの許可要求によるコンテンツ再配信）
図１２は、コンテンツを所持していないコンテンツメンバの携帯電話機１０Ｂが、コンテンツの再配布の許可を要求して、コンテンツを所持しているコンテンツオーナの携帯電話機１０Ａからコンテンツの再配布を受ける動作を示すシーケンス図である。すなわち、以下の図１２に記載の動作は、同一コミュニティ内に属する携帯電話機１０ＡがＣＰサーバ４０Ａからコンテンツの配信を受けたことを知った携帯電話機１０Ｂのユーザが、携帯電話機１０Ａからコンテンツの再配布を受けるような場合における動作である。
【００５９】
図１２に示すように、携帯電話機１０Ａからコンテンツの再配布を受ける場合、携帯電話機１０Ｂは、ＧＷ５０Ａ側のコミュニティ管理サーバ６０Ａに対して、コミュニティ１へのチェックインを行うことによりアクセス可能になる（Ｓ３０１）。この場合、携帯電話機１０Ｂは自己のＩＤを含む情報をコミュニティ管理サーバ６０Ａに送信し、コミュニティ管理サーバ６０Ａの認証部６２２はコミュニティ情報ＤＢ６２５を参照しつつ、携帯電話機１０Ｂが正当なユーザであるか否かを認証する。次に携帯電話機１０Ｂは、コミュニティ管理サーバ６０Ａに対して、コミュニティ１に属する携帯電話機がダウンロード可能なコンテンツの一覧を要求する（Ｓ３０２）。ユーザが所望のコンテンツを決定後、携帯電話機１０Ｂは、再配布許可要求部１２３によって、自己のＩＤ及び帰属するコミュニティ１に関する情報を含むコンテンツダウンロード要求をＧＷ５０側のコミュニティ管理サーバ６０Ａに対して送信する。
【００６０】
コミュニティ管理サーバ６０Ａは、コンテンツダウンロード要求を受信部６２１にて受信し、コミュニティ登録確認部６２７により記憶部６２４のコミュニティ情報ＤＢ６２５を参照しつつ携帯電話機１０Ｂがコミュニティ１に属しているか否かについて確認する（Ｓ３０４）。また、コミュニティ管理サーバ６０Ａは、要求コンテンツチェック部６２８により記憶部６２４のコミュニティ情報ＤＢ６２５を参照しつつ、要求されたコンテンツがコミュニティ１に再配布を行うことが可能か否かについて確認を行う（Ｓ３０５）。
【００６１】
コミュニティ管理サーバ６０Ａは、上記ステップＳ３０４、Ｓ３０５においてコンテンツの再配布が可能と判断した場合は、通知部６２９によって、コンテンツオーナである携帯電話機１０Ａに対し、当該コンテンツのダウンロードが行われる旨の通知を生成し、送信部６２６は当該通知を送信する（Ｓ３０６）。また、コミュニティ管理サーバ６０Ａは、送信部６２６によって、携帯電話機１０Ｂに対し、当該コンテンツのダウンロード要求について許可を与える（Ｓ３０７）。ステップＳ３０６において、コミュニティ管理サーバ６０Ａから再配布通知受信部１２４によって通知を受けた携帯電話機１０Ａは、再配布コンテンツ送信部１２５によって、格納部１２７に格納された当該コンテンツを携帯電話機１０Ｂに送信する。携帯電話機１０Ｂは送信されたコンテンツを再配布コンテンツ受信部１２６によって受信する（Ｓ３０８）。コミュニティ管理サーバ６０Ａは、設定部６２３によって記憶部６２４のコミュニティ情報ＤＢ６２５の記憶内容を更新する（Ｓ３０９）。なお、ステップＳ３０４においてコミュニティ登録確認部６２７により携帯電話機１０Ｂがコミュニティ１に属していると確認されなかった場合、あるいはステップＳ３０５において要求コンテンツチェック部６２８により要求されたコンテンツがコミュニティ１に再配布を行うことが可能であると確認されなかった場合は、当該再配布の要求は拒否され、通知部６２９は再配布の要求を拒否する旨の通知を生成し、送信部６２６は当該通知を携帯電話機１０Bに送信する。
【００６２】
（コンテンツオーナからの許可要求によるコンテンツ再配信）
図１３は、コンテンツを所持しているコンテンツオーナの携帯電話機１０Ａが、コンテンツの再配布の許可を要求して、コンテンツを所持していないコンテンツメンバの携帯電話機１０Ｂにコンテンツの再配布を施す際の動作を示すシーケンス図である。すなわち、以下の図１３に記載の動作は、ＣＰサーバ４０Ａからコンテンツの配信を受けた携帯電話機１０Ａのユーザが、同一コミュニティ内に属する携帯電話機１０Ｂのユーザに対してコンテンツを再配布することにより、コンテンツを贈与するような場合における動作である。
【００６３】
図１３に示すように、携帯電話機１０Ｂへコンテンツの贈答を行う場合、携帯電話機１０Ａは、ＧＷ５０Ａ側のコミュニティ管理サーバ６０Ａに対して、コミュニティ１へのチェックインを行うことによりアクセス可能となる（Ｓ４０１）。この場合、携帯電話機１０Ａは自己のＩＤを含む情報をコミュニティ管理サーバ６０Ａに送信し、コミュニティ管理サーバ６０Ａの認証部６２２はコミュニティ情報ＤＢ６２５を参照しつつ、携帯電話機１０Ａが正当なユーザであるか否かを認証する。次に携帯電話機１０Ａは、再配布可能なコンテンツおよび再配布可能な携帯電話機に関する情報をコミュニティ管理サーバ６０Ａから取得するが、これについては後述する。ユーザが所望のコンテンツおよびコンテンツの再配布先を決定後、携帯電話機１０Ａは、再配布許可要求部１２３によって、自己のＩＤ、帰属するコミュニティ１及びコンテンツの再配布先に関する情報を含むコンテンツダウンロード要求をＧＷ５０側のコミュニティ管理サーバ６０Ａに対して送信する（Ｓ４０２）。
【００６４】
コミュニティ管理サーバ６０Ａは、コンテンツダウンロード要求を受信部６２１にて受信し、コミュニティ登録確認部６２７により記憶部６２４のコミュニティ情報ＤＢを参照しつつ携帯電話機１０Ｂがコミュニティ１に属しているか否かについて確認する（Ｓ４０３）。また、コミュニティ管理サーバ６０Ａは、要求コンテンツチェック部６２８により記憶部６２４のコミュニティ情報ＤＢを参照しつつ、要求されたコンテンツがコミュニティ１に属する携帯電話機１０Ｂに再配布を行うことが可能か否かについて確認を行う（Ｓ４０４）。
【００６５】
コミュニティ管理サーバ６０Ａは、上記ステップＳ４０３、Ｓ４０４においてコンテンツの再配布が可能と判断した場合は、通知部６２９によって、携帯電話機１０Ａに対し、当該コンテンツのダウンロードが行われる旨の通知を生成し、送信部６２６は当該通知を送信する（Ｓ４０５）。また、コミュニティ管理サーバ６０Ａは、送信部６２６によって、携帯電話機１０Ｂに対し、当該コンテンツのダウンロード要求について許可を与える（Ｓ４０６）。ステップＳ４０５において、コミュニティ管理サーバ６０Ａから再配布通知受信部１２４によって通知を受けた携帯電話機１０Ａは、再配布コンテンツ送信部１２５によって、格納部１２７に格納された当該コンテンツを携帯電話機１０Ｂに送信する。携帯電話機１０Ｂは送信されたコンテンツを再配布コンテンツ受信部１２６によって受信する（Ｓ４０７）。コミュニティ管理サーバ６０Ａは、設定部６２３によって記憶部６２４のコミュニティ情報ＤＢ６２５の記憶内容を更新する（Ｓ４０７）。なお、ステップＳ４０３においてコミュニティ登録確認部６２７により携帯電話機１０Ｂがコミュニティ１に属していると確認されなかった場合、あるいはステップＳ４０４において要求コンテンツチェック部６２８により要求されたコンテンツがコミュニティ１に再配布を行うことが可能であると確認されなかった場合は、当該再配布の要求は拒否され、通知部６２９は再配布の要求を拒否する旨の通知を生成し、送信部６２６は当該通知を携帯電話機１０Ａに送信する。
【００６６】
図１４〜１６は、図１３における動作のより詳細な例を示すフロー図である。上記動作では、携帯電話機１０Ａは、コミュニティ管理サーバ６０Ａにコミュニティ１へのチェックインを完了した後、再配布可能なコンテンツおよび再配布可能な携帯電話機に関する情報をコミュニティ管理サーバ６０Ａから取得し、再配布するコンテンツおよび再配布先を検索してから決定する。この場合、携帯電話機１０Ａのユーザは、以下に示すいくつかの方法で検索を行い、どのような再配布を行うかを決定することができる。
【００６７】
図１４に示すように、第１の方法では、図１３のステップＳ４０２においてコンテンツダウンロード要求をコミュニティ管理サーバ６０Ａに対して送信する場合、転送メンバとして携帯電話機１０Ｂを指定してチェックインを行い、携帯電話機１０Ｂが帰属する全てのコミュニティを検索することを要求する（Ｓ４０２１ａ）。コミュニティ管理サーバ６０Ａの認証部６２２では、転送メンバとしての携帯電話機１０Ｂを指定して、記憶部６２４のコミュニティ情報ＤＢ６２５を検索し、転送可能なコンテンツ及び携帯電話機１０Ｂが属する全てのコミュニティを抽出する（Ｓ４０２２ａ）。検索した結果得られた転送可能コンテンツ又はコミュニティに関する情報は携帯電話機１０Ａに送信され、携帯電話機１０Ａの表示部１０６に表示される（Ｓ４０２３ａ）。携帯電話機１０Ａでは、所望のコンテンツあるいは携帯電話機１０Ｂへの転送元となるコミュニティを指定して、転送の実行を要求する（Ｓ４０２４ａ）。その後は、コミュニティ管理サーバ６０Ａは、コミュニティ登録確認（図１３のＳ４０３）、要求コンテンツチェック（図１３のＳ４０４）を順次行う。
【００６８】
図１５に示すように、第２の方法では、図１３のステップＳ４０２においてコンテンツダウンロード要求をコミュニティ管理サーバ６０Ａに対して送信する場合、コミュニティ１を指定してチェックインを行い、コミュニティ１に対してダウンロードさせることができる全てのコンテンツを検索することを要求する（Ｓ４０２１ｂ）。コミュニティ管理サーバ６０Ａの認証部６２２では、コミュニティ１を指定して、記憶部６２４のコミュニティ情報ＤＢ６２５を検索し、転送可能な全てのコンテンツを抽出する（Ｓ４０２２ｂ）。検索した結果得られた転送可能コンテンツに関する情報は携帯電話機１０Ａに送信され、携帯電話機１０Ａの表示部１０６に表示される（Ｓ４０２３ｂ）。携帯電話機１０Ａでは、所望のコンテンツを指定して、転送の実行を要求する（Ｓ４０２４ｂ）。その後は、コミュニティ管理サーバ６０Ａは、コミュニティ登録確認（図１３のＳ４０３）、要求コンテンツチェック（図１３のＳ４０４）を順次行う。
【００６９】
図１６に示すように、第３の方法では、図１３のステップＳ４０２においてコンテンツダウンロード要求をコミュニティ管理サーバ６０Ａに対して送信する場合、所望のコンテンツを指定してチェックインを行い、当該コンテンツを転送可能な全ての携帯電話機（メンバ）を検索することを要求する（Ｓ４０２１ｃ）。コミュニティ管理サーバ６０Ａの認証部６２２では、当該コンテンツを指定して、記憶部６２４のコミュニティ情報ＤＢ６２５を検索し、転送可能な全てのメンバを抽出する（Ｓ４０２２ｃ）。検索した結果得られた転送可能メンバに関する情報は携帯電話機１０Ａに送信され、携帯電話機１０Ａの表示部１０６に表示される（Ｓ４０２３ｃ）。携帯電話機１０Ａでは、所望の転送メンバを指定して、転送の実行を要求する（Ｓ４０２４ｃ）。その後は、コミュニティ管理サーバ６０Ａは、コミュニティ登録確認（図１３のＳ４０３）、要求コンテンツチェック（図１３のＳ４０４）を順次行う。
【００７０】
本実施形態によれば、携帯電話機１０Ａの登録要求部１２１が同一のコミュニティに属する携帯電話機１０Ｂ、１０Ｃを当該コミュニティと関連付けて登録することをコミュニティ管理サーバ６０Ａに対して要求し、コミュニティ管理サーバ６０Ａの記憶部６２４のコミュニティ情報ＤＢ６２５が当該登録の要求に応じてコミュニティの登録を行うため、携帯電話機１０Ａとコミュニティ管理サーバ６０Ａとの間で、コミュニティの登録を行うことができる。
【００７１】
本実施形態によれば、コミュニティ情報ＤＢ６２５が、登録手段が、同一のコミュニティに属する複数の携帯電話機１０Ａ〜１０Ｃをコミュニティとを関連付けて登録し、受信部６２１が、ＣＰサーバ４０Ａよりコンテンツを配信された携帯電話機１０Ａから携帯電話機１０Ｂへのコンテンツの再配布の要求を携帯電話機１０Ａ〜１０Ｃのいずれかから受信し、コミュニティ登録確認部６２７が、当該再配布の要求がコミュニティ情報ＤＢ６２５に登録された同一のコミュニティに属する携帯電話機１０Ａ〜１０Ｃ間の再配布に係るものであるか否かを確認し、通知部６２９が、当該再配布の要求が同一のコミュニティに属する携帯電話機１０Ａ〜１０Ｃ間の再配布に係るものであることを確認したときに、携帯電話機１０Ａに、携帯電話機１０Ａから携帯電話機１０Ｂへコンテンツの再配布を行なうことを通知するため、通信端末とコミュニティ管理サーバとの間だけで、当該コンテンツの再配布が同一コミュニティ内でのものであるかを確認し、伝達サーバを介さなくとも、同一コミュニティに属する通信端末間で直接にコンテンツの再配布を行うことができる。
【００７２】
すなわち、本実施形態によれば、ＣＰサーバ４０Ａからコミュニティ管理サーバ６０Ａに、コンテンツの二次的な再配布の許可を委託することにより、ＣＰサーバ４０Ａへのアクセス数やＣＰサーバ４０Ａからのダウンロード回数の減少が促され、ＣＰサーバ４０Ａへの負荷を軽減することができる。また、本実施形態によれば、コミュニティ内におけるコンテンツの二次的な再配布について包括的な申請と許可を行うことができ、二次的な再配布利用者にとっては、コンテンツ取得手順の簡素化を図ることができる。
【００７３】
尚、本発明のコミュニティ管理サーバ、通信端末、コンテンツ伝達システム及びコンテンツ伝達方法は、上記した実施の形態に限定されるものではなく、本発明の要旨を逸脱しない範囲内において種々変更を加え得ることは勿論である。
【００７４】
例えば上記実施形態においては、同一コミュニティに属する携帯電話機のいずれかがコンテンツの再配布の要求をコミュニティ管理サーバに対して送信し、当該コニュニティに属する携帯電話機間でコンテンツの再配布が行われる態様について主に説明したが、本発明はこれに限定されない。例えば、当該コニュニティに属していない携帯電話機からのコンテンツの再配布の要求に基づいて、当該コミュニティに属する携帯電話機間でコンテンツの再配布を行うことができるようにしても良い。この場合、当該コミュニティに属していない携帯電話機のユーザから、当該コミュニティに属する一の携帯電話機にコンテンツの贈与があった場合に、当該コミュニティに属する他の携帯電話機にもコンテンツの贈与を行うことができ、コミュニティの利用可能性がさらに拡大することが期待できる。
【図面の簡単な説明】
【００７５】
【図１】本実施形態に係るコンテンツ伝達システムの概要構成図である。
【図２】本実施形態に係る携帯電話機の概略構成図である。
【図３】本実施形態に係る携帯電話機の機能的な構成図である。
【図４】本実施形態に係るＣＰサーバの概略構成図である。
【図５】本実施形態に係るＣＰサーバの機能的な構成図である。
【図６】本実施形態に係るコミュニティ管理サーバの概略構成図である。
【図７】本実施形態に係るコミュニティ管理サーバの機能的な構成図である。
【図８】本実施形態に係るコミュニティ管理サーバに含まれるコミュニティ情報データベースの構成を示す図である。
【図９】本実施形態に係るコンテンツ再配布の概要を示す図である。
【図１０】携帯電話機がゲートウェイ側にコミュニティ登録を行う際の動作を示すシーケンス図である。
【図１１】携帯電話機がＣＰサーバから最初にコンテンツをダウンロードする際の動作を示すシーケンス図である。
【図１２】コンテンツメンバの携帯電話機がコンテンツの再配布の許可を要求してコンテンツオーナの携帯電話機からコンテンツの再配布を受ける動作を示すシーケンス図である。
【図１３】コンテンツオーナの携帯電話機がコンテンツの再配布の許可を要求してコンテンツメンバの携帯電話機にコンテンツの再配布を施す際の動作を示すシーケンス図である。
【図１４】図１３における動作のより詳細な例を示すフロー図である。
【図１５】図１３における動作のより詳細な例を示すフロー図である。
【図１６】図１３における動作のより詳細な例を示すフロー図である。
【符号の説明】
【００７６】
１…コンテンツ伝達システム、１０Ａ，１０Ｂ，１０Ｃ…携帯電話機、２０Ａ…移動体通信網、３０Ａ…インターネット、４０Ａ，４０Ｂ，４０Ｃ，４０Ｄ…ＣＰサーバ、５０Ａ…ＧＷ、６０Ａ…コミュニティ管理サーバ、１０１…通信部、１０２…ＲＯＭ、１０３…ＲＡＭ、１０４…ＣＰＵ、１０５…操作部、１０６…表示部、１０７…記憶部、１０８…バス、１０９…デバイス、１２１…登録要求部、１２２…配信要求部、１２３…再配布許可要求部、１２４…再配布通知受信部、１２５…再配布コンテンツ送信部、１２６…再配布コンテンツ受信部、１２７…格納部、４０１…ＣＰＵ、４０２…メモリ、４０３…記憶ディスク、４０４…ＬＡＮインターフェイス、４０５…コンソール、４０６…ディスプレイ、４０７…制御部、４０８…記憶管理部、４０９…ネットワーク制御部、４１０…インターネット制御部、４２１…受信部、４２２…認証部、４２３…設定部、４２４…記憶部、４２５…送信部、６０１…ＣＰＵ、６０２…メモリ、６０３…記憶ディスク、６０４…ＬＡＮインターフェイス、６０５…コンソール、６０６…ディスプレイ、６０７…制御部、６０８…記憶管理部、６０９…ネットワーク制御部、６１０…ゲートウェイ制御部、６２１…受信部、６２２…認証部、６２３…設定部、６２４…記憶部、６２５…コミュニティ情報ＤＢ、６２６…送信部、６２７…コミュニティ登録確認部、６２８…要求コンテンツチェック部、６２９…通知部、Ａ１…音声コンテンツ、Ｐ１，Ｐ２…画像コンテンツ、Ｄ１…文書コンテンツ。
【図１】
2008123290.tif 000003
【図２】
2008123290.tif 000004
【図３】
2008123290.tif 000005
【図４】
2008123290.tif 000006
【図５】
2008123290.tif 000007
【図６】
2008123290.tif 000008
【図７】
2008123290.tif 000009
【図８】
2008123290.tif 000010
【図９】
2008123290.tif 000011
【図１０】
2008123290.tif 000012
【図１１】
2008123290.tif 000013
【図１２】
2008123290.tif 000014
【図１３】
2008123290.tif 000015
【図１４】
2008123290.tif 000016
【図１５】
2008123290.tif 000017
【図１６】
2008123290.tif 000018